(57)【要約】【課題】内グリップ１の表面と外グリップ２の内面との間に適宜の空間部を構成することにより、外グリップ２を把持した時に内グリップ１の突部１Ａ及び外グリップ２が弾性変形をして把持し易い筆記具のグリップを提供する。【解決手段】筆記具を把持する部分に取り付けられるグリップにおいて、そのグリップを軟質材からなる内グリップ１と軟質材からなる外グリップ２の二層構造で構成する。この内グリップ１の表面に複数の突部１Ａを複数形成し、内グリップ１の表面と外グリップ２の内面の間に適宜の空間部を構成する。更に、内グリップ１の突部１Ａの断面形状を根元が太く先端に行くに従って細く構成する。【選択図】        図１
2008238609.tif 000002
【特許請求の範囲】
【請求項１】
筆記具を把持する部分に取り付けられるグリップにおいて、そのグリップを、軟質材からなる内グリップと軟質材からなる外グリップの二層構造で構成し、前記内グリップの表面に複数の突部を形成し、内グリップの表面と外グリップの内面の間に適宜の空間部を構成するとともに、内グリップに形成した突部を根元が太く先端に行くに従って細くなるように構成したことを特徴とする筆記具のグリップ。
【請求項２】
内グリップに形成した突部を山形に形成したことを特徴とする請求項１記載の筆記具のグリップ。
【請求項３】
内グリップの両端に外鍔を形成し、この２つの外鍔により内グリップを外グリップに嵌合したことを特徴とする請求項１又は２記載の筆記具のグリップ。
【請求項４】
外グリップを透明性を有する軟質材で構成したことを特徴とする請求項１乃至３のいずれか１項に記載の筆記具のグリップ。
【発明の詳細な説明】
【技術分野】
【０００１】
本発明は、筆記具を把持する部分に取り付けられるグリップに関するものである。
【背景技術】
【０００２】
従来、筆記具を把持する部分に取り付けられたグリップとしては、内方層と表面層との上下に積層した軟質材で形成し、内方層のショアー硬度がＨｓ（ＪＩＳ  Ａ）５〜３０、表面層のショアー硬度がＨｓ（ＪＩＳ  Ａ）４０以上で構成した筆記具のグリップが知られている。（特許文献１参照）
【特許文献１】特開２０００−３５５１８５号公報
【発明の開示】
【発明が解決しようとする課題】
【０００３】
しかしながら、上記した筆記具のグリップは、内方層と表面層の間に空間部がなく、手で把持した時に十分な弾性変形が得られなかった。
本発明は、上記課題を解消する筆記具のグリップを提供することを目的とするものである。
【課題を解決するための手段】
【０００４】
本発明は、筆記具を把持する部分に取り付けられるグリップにおいて、そのグリップを、軟質材からなる内グリップと軟質材からなる外グリップの二層構造で構成し、前記内グリップの表面に複数の突部を形成し、内グリップの表面と外グリップの内面の間に適宜の空間部を構成するとともに、内グリップに形成した突部を根元が太く先端に行くに従って細くなるように構成したことを第１の要旨とする。
【０００５】
また、内グリップに形成した突部を山形に形成したことを第２の要旨とする。
【０００６】
更にまた、内グリップの両端に外鍔を形成し、この２つの外鍔により内グリップを外グリップに嵌合したことを第３の要旨とする。
【０００７】
更にまた、外グリップを透明性を有する軟質材で構成したことを第４の要旨とする。
【発明の効果】
【０００８】
本発明は、内グリップの表面に複数の突部を形成して内グリップの表面と外グリップの内面の間に適宜の空間部を構成することにより、手で外グリップを把持した時に外グリップが十分に弾性変形をするので非常に柔らかい感触が得られる効果が奏せられるものである。更に、内グリップに形成した突部を根元が太く先端に行くに従って細くなるように構成することにより、握った時の押圧力を突部が下方にのみ変形して受けるので、外グリップがねじれたり円周方向に寄せられたりして筆記を妨げる恐れも生じないものである。
【発明を実施するための最良の形態】
【０００９】
内グリップの表面と外グリップの内面との間に適宜の空間部を構成することにより、外グリップを把持した時に外グリップが弾性変形をして把持し易い筆記具のグリップを実現した。
【実施例１】
【００１０】
以下、図１及び図２に基づいて本発明における実施例１の筆記具のグリップを説明する。先ず、着色した軟質材で作製された内グリップ１の表面に複数の突部１Ａを略等間隔に形成する。この突部１Ａの断面形状は、根元が太く先端に行くに従って細くなるように山形に構成する。また、内グリップ１の前端と後端に外鍔１Ｂを形成する。次に、透明あるいは着色透明からなる軟質材で作製された外グリップ２の前端に内鍔２Ａを形成する。また、外グリップ２の外形は両端から中間部に向かって徐々に曲線状に細径に形成されている。この外グリップ２を前記内グリップ１に被せることにより、筆記具のグリップを構成する。
【００１１】
次に、図３により本発明の筆記具のグリップをノック式シャープペンシルに設けた例で説明する。先ず、チャック３の頭部３Ａを複数に分割して拡開可能に形成し、この頭部３Ａにテーパー面を形成する。前記チャック３の頭部３Ａに締リング４を外嵌し、チャック３の後部にパイプ状の芯タンク５を圧入固着する。また、締リング４を受け止めるワッシャー６と芯タンク５の間にスプリング７を張架し、チャック３のテーパー面が締リング４に押圧され機構部が構成される。
【００１２】
軸筒８の前部８Ａは細径に形成され、この前部８Ａに前記内グリップ１を外嵌する。次に、内グリップ１に前記外グリップ２を外嵌する。すると、内グリップ１の外鍔１Ｂ及び突部１Ａが外グリップ２の内面に接触し、内グリップ１の表面と外グリップ２の内面の間に適宜の空間部が構成される。
【００１３】
この軸筒８の前方より前記機構部を挿入した後、軸筒８に口金９を螺合し、口金９の内段９Ａと軸筒８の前端でワッシャー６を挟持する。また、口金９が螺合されることによって口金９の後部９Ｂに取り付けられたリング１０と軸筒８の外段８Ｂによって外グリップ２が挟持され、外グリップ２の内鍔２Ａと軸筒８の前部外段８Ｃにより内グリップ１が挟持される。
【００１４】
更に図４に示したように、軸筒８に連結される内鞘１１に内グリップ１の突部１Ａと合わされる模様を転写、印刷するか、あるいは模様を付した加飾筒を内鞘１１に被せたり、さらには模様を印刷したシール１２を内鞘１１に貼り付けたりして取り付ける。この内鞘１１には透明の外鞘１３が被せられてシール１２の模様が目視可能に構成される。更に、外鞘１３の後部には転がり防止のための隆起部１３Ａが形成され、この隆起部１３Ａに開口孔１３Ｂが形成されてノック式シャープペンシルが構成される。
【００１５】
この実施例１の場合には、内グリップ１に等間隔で複数形成された突部１Ａが、根元が太く先端に行くに従って細くなるように山形に形成しているので、外グリップ２を押圧した力は内グリップ１の突部１Ａによって下方にのみ変形して受けるので、外グリップ２が円周方向にねじれる恐れはない。また、突部１Ａが山形に形成されることにより、デコボコした感触が緩和されより柔らかい感触が得られる。
【００１６】
尚、上記実施例１は、内グリップ１に形成した突部１Ａが山形に形成されているが、本発明は上記実施例に限定されるものではなく、突部を半球状に形成したり、あるいは断面が台形状に形成しても本発明の目的及び効果が十分に得られるものである。
【００１７】
また、上記実施例１は、円周方向等間隔に複数形成された突部１Ａが、長手方向に隣り合う突部１Ａは互い違いに形成されているが、本発明は上記実施例１に限定されるものではなく、長手方向に同じ列に並べられても良いし、間隔が狭い部分と広い部分が任意に混在していても良い。
【００１８】
更に、上記実施例１は、内グリップ１の突部１Ａが外グリップ２の内面に接触して構成されているが、内グリップの突部は必ずしも外グリップの内面に接触している必要はなく、隙間が設けられていても本発明の目的は十分に得られるものである。また、外グリップの外形は、中間部を太径にしたりあるいは単に円筒形にしたり、断面形状を三角形にしたり、肉厚を任意に変えたり等、種々の形状が考えられる。
【００１９】
更にまた、外グリップを透明な軟質材で形成するとともに内グリップも透明な軟質材で形成すれば、軸筒が透けて見えるので新たな外観が表現できる。
【００２０】
更にまた、内グリップは、硬さ（ＪＩＳ  Ａ）１０、３０あるいは５０といったシリコンラバーや、硬さ（ＪＩＳ  Ａ）３０、５０あるいは７０といったエラストマーが考えられる。これらの内グリップと組み合わされる外グリップとしては、硬さ（ＪＩＳ  Ａ）５０のシリコンラバーを用いることによって、種々の柔らかさのグリップが設定可能となる。
【００２１】
更にまた、本発明の筆記具のグリップは、ノック式シャープペンシルに限定されるものではなく、ボールペン等種々の筆記具に利用できるものである。
【産業上の利用可能性】
【００２２】
筆記中に、外グリップがねじれたり移動したりしない筆記具のグリップにすることができる。
【図面の簡単な説明】
【００２３】
【図１】本発明の実施例１の筆記具のグリップを示す断面図である。（実施例１）
【図２】図１のＡ−Ａ線を示す断面図である。（実施例１）
【図３】実施例１の筆記具のグリップを設けたノック式シャープペンシルを示す主要部断面図である。（実施例１）
【図４】実施例１の筆記具のグリップを設けたノック式シャープペンシルを示す部分断面図である。（実施例１）
【符号の説明】
【００２４】
１  内グリップ
１Ａ  内グリップ１の突部
１Ｂ  内グリップ１の外鍔
２  外グリップ
【図１】
2008238609.tif 000003
【図２】
2008238609.tif 000004
【図３】
2008238609.tif 000005
【図４】
2008238609.tif 000006